(57)【要約】      （修正有）【課題】車載機器に適用した場合であっても、正確なピンチ操作を行うことができる表示装置を提供する。【解決手段】第１タッチ操作があったときに、第１タッチ操作が第１領域内での操作であるか否かを判定する第１タッチ操作判定手段Ｓ１２と、第１タッチ操作によるタッチが維持されている状態で、第２タッチ操作があったときに、第２タッチ操作が、ピンチ操作判定領域内での操作であるか否かを判定する第２タッチ操作判定手段Ｓ１４、Ｓ１５と、第２タッチ操作がピンチ操作判定領域内での操作であると判定されたときに、ピンチ操作許容領域での、第１タッチ操作によるタッチ位置と、第２タッチ操作によるタッチ位置とを移動させることによるピンチ操作に基づいて、第１領域の表示画像に対するピンチ操作に係る処理を行うピンチ画像処理手段Ｓ１９、Ｓ２０と、を有する。【選択図】図３Ａ
2017027422.tif 000002
【特許請求の範囲】
【請求項１】
タッチパネル表示器を有し、該タッチパネル表示器におけるタッチ操作に応じて該タッチパネル表示器での表示画像についての処理を行う表示装置であって、
前記タッチパネル表示器のタッチ表示領域において第１領域と該第１領域に境界線を挟んで隣接する第２領域とが設定されており、
第１タッチ操作があったときに、該第１タッチ操作が前記第１領域内での操作であるか否かを判定する第１タッチ操作判定手段と、
該第１タッチ操作判定手段により前記第１領域内での操作であると判定された前記第１タッチ操作による当該第１領域でのタッチが維持されている状態で、更に、第２タッチ操作があったときに、当該第２タッチ操作が、前記第１領域を含み、該第１領域より広いピンチ操作判定領域内での操作であるか否かを判定する第２タッチ操作判定手段と、
該第２タッチ操作判定手段により前記第２タッチ操作が前記ピンチ操作判定領域内での操作であると判定されたときに、前記ピンチ操作判定領域を含み、該ピンチ操作判定領域より広いピンチ操作許容領域での、前記第１タッチ操作によるタッチの位置と、前記第２タッチ操作によるタッチの位置とを移動させることによるピンチ操作に基づいて、前記第１領域の表示画像に対する前記ピンチ操作に係る処理を行うピンチ画像処理手段とを有する表示装置。
【請求項２】
前記ピンチ操作判定領域は、前記第１領域から前記境界線を越えて前記第２領域に所定広さのはみ出したはみ出し領域を含む請求項１記載の表示装置。
【請求項３】
前記はみ出し領域は、前記第２領域の広さの半分以下の広さである請求項２記載の表示装置。
【請求項４】
前記ピンチ操作許容領域は、前記第２領域全体を含む請求項１乃至３のいずれかに記載の表示装置。
【請求項５】
前記ピンチ操作許容領域は、前記タッチ表示領域全体である請求項４記載の表示装置。
【請求項６】
タッチパネル表示器におけるタッチ操作に応じて該タッチパネル表示器での表示画像についての処理を行う表示処理方法であって、
前記タッチパネル表示器のタッチ表示領域において第１領域と該第１領域に境界線を挟んで隣接する第２領域とが設定されており、
第１タッチ操作があったときに、該第１タッチ操作が前記第１領域内での操作であるか否かを判定する第１タッチ操作判定ステップと、
該第１タッチ操作判定ステップにより前記第１領域内での操作であると判定された前記第１タッチ操作による当該第１領域でのタッチが維持されている状態で、更に、第２タッチ操作があったときに、当該第２タッチ操作が、前記第１領域を含み、該第１領域より広いピンチ操作判定領域内での操作であるか否かを判定する第２タッチ操作判定ステップと、
該第２タッチ操作判定ステップにより前記第２タッチ操作が前記ピンチ操作判定領域内での操作であると判定されたときに、前記ピンチ操作判定領域を含み、該ピンチ操作判定領域より広いピンチ操作許容領域での、前記第１タッチ操作によるタッチの位置と、前記第２タッチ操作によるタッチの位置とを移動させることによるピンチ操作に基づいて、前記第１領域の表示画像に対する前記ピンチ操作に係る処理を行うピンチ画像処理ステップとを有する表示処理方法。
【発明の詳細な説明】
【技術分野】
【０００１】
本発明は、タッチパネル表示器を有し、該タッチパネル表示器におけるタッチ操作に応じて該タッチパネル表示器での表示画像についての処理を行う表示装置及び表示処理方法に関する。
【背景技術】
【０００２】
従来、スマートフォン等の携帯情報端末は、タッチパネルと液晶表示パネルとが一体化されたタッチパネル表示器を備えている。そして、タッチパネル表示器では、例えば、タッチ表示領域をタッチする親指と人差し指を広げたり（ピンチアウト）、狭めたり（ピンチイン）することで、当該タッチ表示領域に表示される画像の拡大、縮小等を行うことができる（特許文献１参照）。
【先行技術文献】
【特許文献】
【０００３】
【特許文献１】特開２０１２−２０３４４０号公報
【発明の概要】
【発明が解決しようとする課題】
【０００４】
ところで、上述したようなピンチ操作（ピンチアウト、ピンチイン）に従った表示画像の処理（拡大、縮小）を可能にする表示装置を車載機器に適用することが考えられる。しかし、この場合、通常、操作すべきタッチパネル表示器が乗員（運転者等）の手元にない、車両走行中の振動により確実な位置へのタッチ操作が難しい、特に、運転に集中する運転者にとっては、ピンチ操作を行う２つの指を同時に注目することが難しい等の理由により、正確なピンチ操作を行うことが難しい。
【０００５】
本発明は、このような事情に鑑みてなされたもので、車載機器に適用した場合であっても、正確なピンチ操作を行うことができる表示装置及び表示処理方法を提供するものである。
【課題を解決するための手段】
【０００６】
本発明に係る表示装置は、タッチパネル表示器を有し、該タッチパネル表示器におけるタッチ操作に応じて該タッチパネル表示器での表示画像についての処理を行う表示装置であって、前記タッチパネル表示器のタッチ表示領域において第１領域と該第１領域に境界線を挟んで隣接する第２領域とが設定されており、第１タッチ操作があったときに、該第１タッチ操作が前記第１領域内での操作であるか否かを判定する第１タッチ操作判定手段と、該第１タッチ操作判定手段により前記第１領域内での操作であると判定された前記第１タッチ操作による当該第１領域でのタッチが維持されている状態で、更に、第２タッチ操作があったときに、当該第２タッチ操作が、前記第１領域を含み、該第１領域より広いピンチ操作判定領域内での操作であるか否かを判定する第２タッチ操作判定手段と、該第２タッチ操作判定手段により前記第２タッチ操作が前記ピンチ操作判定領域内での操作であると判定されたときに、前記ピンチ操作判定領域を含み、該ピンチ操作判定領域より広いピンチ操作許容領域での、前記第１タッチ操作によるタッチの位置と、前記第２タッチ操作によるタッチの位置とを移動させることによるピンチ操作に基づいて、前記第１領域の表示画像に対する前記ピンチ操作に係る処理を行うピンチ画像処理手段とを有する構成となる。
【０００７】
このような構成によれば、第１領域で第１タッチ操作を行ってそのタッチを維持した状態で、該第１領域を含む該第１領域より広いピンチ操作判定領域に第２タッチ操作を行い、その後、第１タッチ操作による前記第１領域で維持されたタッチの位置と、前記第２タッチ操作による前記タッチ操作判定領域で維持されたタッチの位置とを、前記タッチ操作判定領域を含み、該ピンチ操作判定領域より広いピンチ操作許容領域内で移動させることによるピンチ操作を行うと、前記第１領域の表示画像に対する前記ピンチ操作に係る処理が行われる。
【０００８】
本発明に係る表示装置において、前記ピンチ操作判定領域は、前記第１領域から前記境界線を越えて前記第２領域に所定広さのはみ出したはみ出し領域を含む構成とすることができる。
【０００９】
このような構成によれば、第１領域に第１タッチ操作を行った後に、第１領域からはみ出して第２領域のはみ出し領域において第２タッチ操作を行っても、それら第１タッチ操作及び第２タッチ操作に続くピンチ操作により、前記第１領域の表示画像に対する前記ピンチ操作に係る処理が行われる。
【００１０】
本発明に係る表示装置において、前記はみ出し領域は、前記第２領域の広さの半分以下の広さである構成とすることができる。
【００１１】
このような構成によれば、第１領域の第２領域との境界線に近い部分に第１タッチ操作を行った後に、第１領域から第２領域の半分の広さを越えるほど、第１領域から大きく第２領域にはみだして第２タッチ操作を行った場合には、前記第１領域の表示画像に対するピンチ操作に係る処理が行われないようにすることができる。
【００１２】
本発明に係る表示装置において、前記ピンチ操作許容領域は、前記第２領域全体を含む構成とすることができる。
【００１３】
このような構成によれば、第１領域だけでなく、第１領域及び第２領域を合わせた領域（ピンチ操作許容領域）で、第１領域の表示画像を対象としたピンチ操作を行うことができる。
【００１４】
また、本発明に係る表示装置において、前記ピンチ操作許容領域は、前記タッチ表示領域全体である構成とすることができる。
【００１５】
このような構成によれば、第１領域だけでなく、タッチパネル表示器のタッチ表示領域全体で、第１領域の表示画像を対象としたピンチ操作を行うことができる。
【００１６】
本発明に係る表示処理方法は、タッチパネル表示器におけるタッチ操作に応じて該タッチパネル表示器での表示画像についての処理を行う表示処理方法であって、前記タッチパネル表示器のタッチ表示領域において第１領域と該第１領域に境界線を挟んで隣接する第２領域とが設定されており、第１タッチ操作があったときに、該第１タッチ操作が前記第１領域内での操作であるか否かを判定する第１タッチ操作判定ステップと、該第１タッチ操作判定ステップにより前記第１領域内での操作であると判定された前記第１タッチ操作による当該第１領域でのタッチが維持されている状態で、更に、第２タッチ操作があったときに、当該第２タッチ操作が、前記第１領域を含み、該第１領域より広いピンチ操作判定領域内での操作であるか否かを判定する第２タッチ操作判定ステップと、該第２タッチ操作判定ステップにより前記第２タッチ操作が前記ピンチ操作判定領域内での操作であると判定されたときに、前記ピンチ操作判定領域を含み、該ピンチ操作判定領域より広いピンチ操作許容領域での、前記第１タッチ操作によるタッチの位置と、前記第２タッチ操作によるタッチの位置とを移動させることによるピンチ操作に基づいて、前記第１領域の表示画像に対する前記ピンチ操作に係る処理を行うピンチ画像処理ステップとを有する構成となる。
【発明の効果】
【００１７】
本発明に係る表示装置及び表示処理方法によれば、第１領域で第１タッチ操作が行われた後、第１領域内だけでなく、第１領域より広いピンチ操作判定領域での第２タッチ操作、更に、ピンチ操作判定領域より広いピンチ操作許容領域でのピンチ操作によって、第１領域の表示画像に対する前記ピンチ操作に係る処理が行われるので、当該表示装置及び表示処理方法を車載機器に適用した場合であっても、正確なピンチ操作を行うことができる。
【図面の簡単な説明】
【００１８】
【図１】本発明の実施の形態に係る表示装置が適用される車載機器の構成を示すブロック図である。
【図２】タッチパネル表示器のタッチ表示領域を構成する複数の領域の一例を示す図である。
【図３Ａ】タッチパネル表示器の制御手順（その１）を示すフローチャートである。
【図３Ｂ】タッチパネル表示器の制御手順（その２）を示すフローチャートである。
【図４】第１タッチ操作の一例を示す図である。
【図５】図４に示す第１タッチ操作の後に行われる第２タッチ操作の一例を示す図である。
【図６】第１領域の表示画像に対するピンチアウト操作（ピンチ操作）の一例を示す図である。
【図７】第１領域の表示画像に対するピンチイン操作（ピンチ操作）の一例を示す図である。
【図８】第１タッチ操作、及びその第１タッチ操作の後に行われる第２タッチ操作の例を示す図である。
【図９】第１タッチ操作の他の一例を示す図である。
【図１０】図９に示す第１タッチ操作の後に行われる第２タッチ操作の一例を示す図である。
【発明を実施するための形態】
【００１９】
以下、本発明の実施の形態について図面に基づいて説明する。
【００２０】
本発明の実施の一形態に係る表示装置が適用される車載機器は、図１に示すように構成される。
【００２１】
図１において、車載機器１００は、各種処理に係るプログラムを実行するコンピュータ（ＣＰＵを含む）によって構成される処理ユニット１１、ＬＣＤ（液晶表示パネル）等の表示パネル１２ｂとタッチパネル１２ａとが一体となったタッチパネル表示器１２、記憶部１４、出力回路１５、スピーカ１６、ＡＶユニット１７、ナビゲーションユニット１８及びタッチコントローラ２０を有している。ＡＶユニット１７は、処理ユニット１１の制御のもと、各種音源及び映像源（例えば、ＣＤ、ＤＶＤ等）の再生処理を行う。ナビゲーションユニット１８は、処理ユニット１１の制御のもと、自車両のルート案内等のナビゲーション処理を行う。処理ユニット１１には、スピーカ１６が接続される出力回路１５が接続されており、ＡＶユニット１７及びナビゲーションユニット１８での処理に基づいた音声信号が出力回路１５を介してスピーカ１６に供給され、前記音声信号に応じた音がスピーカ１６から出力される。記憶部１４には、処理ユニット１１が実行可能なプログラムが格納されるとともに、ＡＶユニット１７及びナビゲーションユニット１８にて利用される楽曲情報や地図情報等の各種情報が記憶されている。
【００２２】
タッチパネル表示器１２の表示パネル１２ａは、処理ユニット１１の制御のもと、ナビゲーションユニット１８の処理にて得られる地図、ルート情報、自車位置マーク等のナビゲーションに関する情報や、処理ユニット１１から提供される映像やテキスト等の各種情報を表示する。タッチパネル表示器１２のタッチパネル１２ｂは、操作者によって操作される物、例えば、指のタッチ位置に対応した信号を出力する。タッチコントローラ２０は、タッチパネル１２ｂからの信号に基づいて、タッチパネル１２ｂ上のタッチ点（位置）に対応した位置データを所定のフォーマットにて出力する。
【００２３】
処理ユニット１１は、タッチコントローラ２０から出力される位置データに基づいて、タッチパネル１２ｂと一体となる表示パネル１２ａの画面（タッチ表示領域）上の位置を認識し、当該位置に表示されたアイコン（操作ボタン）が操作された等の操作内容を認識し、その操作に従った、処理を行う。また、処理ユニット１１は、タッチコントローラ２０から出力される位置データに基づいて、後述するように、タッチ表示領域上での２つの指のタッチ点（位置）の移動を認識し、その２つのタッチ点（位置）の移動によるピンチ操作に基づいた表示画像の拡大や縮小の処理を行う。
【００２４】
タッチパネル表示器１２のタッチ表示領域は、例えば、ナビゲーションに係る画像を表示する場合、図２に示すような複数の領域により構成される。
【００２５】
図２において、タッチパネル領域１２１には、第１領域ＤＥ１と、該第１領域ＤＥ１に境界線ＢＬを挟んで隣接する第２領域ＤＥ２とが設定されている。また、タッチパネル領域１２１において、第１領域ＤＥ１及び第２領域ＤＥ２の外側に２つの外部領域ＯＥが配置されている。第１領域ＤＥ１は、例えば、拡大した案内経路の表示に利用され、第２領域ＤＥ２は、例えば、案内経路を含む道路地図の表示に利用され、外部領域ＯＥは、各種の操作ボタン（アイコン）や、ナビゲーションに係る道路地図以外の各種情報等の表示に利用される。
【００２６】
タッチパネル表示器１２のタッチ表示領域１２１に、図２に示すようなナビゲーションに係る情報が表示されている状態で、処理ユニット１１は、例えば、図３Ａ及び図３Ｂに示す手順に従ってタッチパネル表示器１２を制御する。
【００２７】
図３Ａにおいて、処理ユニット１１は、タッチパネル表示器１２のタッチ表示領域１２１に１番目のタッチ操作（第１タッチ操作）がなされたか否かを判定している（Ｓ１１）。この状態で、操作者（車両の乗員）が、タッチ表示領域１２１の、例えば、第１領域ＤＥ１（図２参照）の表示画像を拡大または縮小させるために２つの指（例えば、親指と人差し指）で第１領域ＤＥ内においてピンチ操作を行なおうとして、その２つの指でタッチ表示領域１２１にタッチすると、僅かにでも早いタイミングの一方のタッチ操作に対して、処理ユニット１１は、第１操作がなされたと判定する（Ｓ１１でＹＥＳ）。そして、処理ユニット１１は、タッチコントローラ２０からの前記第１タッチ操作によるタッチ点に対応した位置データに基づいて、その第１タッチ操作がタッチ表示領域１２１の第１領域ＤＥ１（図２参照）内での操作であるか否かを判定する（Ｓ１２：第１タッチ操作判定手段）。例えば、図４（破線丸１）に示すように、その第１タッチ操作が上記第１領域ＤＥ１内での操作であると（Ｓ１２でＹＥＳ）、処理ユニット１１は、その第１タッチ操作による第１領域ＤＥ１でのタッチが維持されていることを確認しつつ（Ｓ１３でＹＥＳ）、更に、僅かにでも遅れた次のタッチ操作（第２タッチ操作）がなされたか否かを繰り返し判定する（Ｓ１４）。ここで、第２タッチ操作（遅れたタッチ操作）がなされると（Ｓ１４でＹＥＳ）、処理ユニット１１は、タッチコントローラ２０からのタッチ点に対応した位置データに基づいて、その遅れた第２タッチ操作が、第１表示領域ＤＥ１より広い図５に示すような第１ピンチ操作判定領域ＰＥ１内での操作であるか否かを判定する（Ｓ１５：第２タッチ操作判定手段）。前記第１ピンチ操作判定領域ＰＥ１は、第１領域ＤＥ１（図２参照）を含むとともに、第１領域ＤＥ１から境界線ＢＬを越えて第２領域ＤＥ２（図２参照）に所定の広さはみ出したはみ出し領域ＥＸＥ１を含み、更に、外部領域ＯＥの第１領域ＤＥ１に隣接する部分を含む。
【００２８】
例えば、図５（破線丸２）に示すように、前記第２タッチ操作が第１ピンチ操作判定領域ＰＥ１内での操作であると判定すると（Ｓ１５でＹＥＳ）、処理ユニット１１は、ピンチ操作モードであることを認識する。そして、処理ユニット１１は、前記第１タッチ操作による第１領域ＤＥ１でのタッチが維持されていることとともに、前記第２タッチ操作による前記第１ピンチ操作判定領域ＰＥ１でのタッチが維持されていることを確認しつつ（Ｓ１６でＹＥＳ）、タッチコントローラ２０から順次送られてくる前記第１タッチ操作によるタッチ点に対応した位置データと、前記第２タッチ操作によるタッチ点に対応した位置データとに基づいて、前記第１タッチ操作によるタッチ点（位置）及び第２タッチ操作によるタッチ点（位置）が移動するか否か否かを判定する（Ｓ１７）。操作者のピンチ操作に従って前記第１タッチ操作によるタッチ点及び前記第２タッチ操作によるタッチ点が移動すると（Ｓ１７でＹＥＳ）、処理ユニット１１は、タッチ表示領域１２１全体に設定されたピンチ操作許容範囲ＰＥＥ内において当該第１タッチ操作によるタッチ点と当該第２タッチ操作によるタッチ点とを移動させることによるピンチ操作に係る処理を行う（ピンチ画像処理手段）。
【００２９】
具体的には、処理ユニット１１は、そのピンチ操作が、図６に示すように、第１タッチ操作によるタッチ点（破線丸１）と第２タッチ操作によるタッチ点（破線丸２）との間隔を広げるピンチアウトであれば（Ｓ１８でピンチアウト）、第１領域ＤＥ１の表示画像を、当該２つのタッチ点の移動に応じて拡大させる（Ｓ１９：画像拡大処理）。一方、そのピンチ操作が、図７に示すように、第１タッチ操作によるタッチ点（破線丸１）と第２タッチ操作によるタッチ点（破線丸２）との間隔を狭めるピンチインであれば（Ｓ１８でピンチイン）、第１領域ＤＥ１の表示画像を、当該２つのタッチ点の移動に応じて縮小させる（Ｓ２０：画像縮小処理）。
【００３０】
上述したような処理によれば、第１領域ＤＥ１内の画像を拡大または縮小させるために、操作者が第１領域ＤＥを狙って２つの指をタッチしようとしたときに、最初のタッチ点（第１タッチ操作）が第１領域ＤＥ１に含まれていれば（図４参照）、次のタッチ点（第２タッチ操作）が第１領域ＤＥ１から僅かにはみ出したものであっても（第１ピンチ操作判定領域ＰＥ１内（図５参照））、それら２つのタッチ点の移動がピンチ操作であると認識されて、第１領域ＤＥ１の表示画像を拡大（ピンチアウト）または縮小（ピンチイン）することができる。また、それら２つのタッチ点のピンチ操作として許容される移動範囲は、第１領域ＤＥ１内や第１ピンチ操作判定領域ＰＥ１に制限されず、タッチ表示領域１２１全体（ピンチ操作許容範囲ＰＰＥ）であるので、第１領域ＤＥ１の表示画像をより大きく変化（拡大、縮小）させることができる。従って、タッチパネル表示器１２が車両のインストルメントパネルに設置される等、操作者（乗員）の手元になくても、また、振動の大きい車両内であっても、また、運転中の運転者であっても、タッチ表示領域１２１の一部である第１領域ＤＥ１の表示画像に対する正確なピンチ操作を行うことができる。
【００３１】
前述した処理（図３Ａ参照）において、第２タッチ操作によるタッチ点が、例えば、図８に示すように（破線丸２参照）、第１領域ＤＥ１より広い第１ピンチ操作判定領域ＰＥ１の更に外側にある場合、即ち、第２タッチ操作が第１ピンチ操作判定領域ＰＥ１内での操作でない場合（Ｓ１５でＮＯ）、処理ユニット１１は、第１タッチ操作によるタッチ点が第１領域ＤＥ１に維持されていることを確認しつつ（Ｓ１３）、次の第２タッチ操作がなされるか否かの判定（Ｓ１４）を繰り返し行う。この場合、操作者がピンチ操作を行っても、第１領域ＤＥ１の表示画像に対する当該ピンチ操作に係る処理は行われず、第１領域ＤＥ１の表示画像がそのまま維持される。そして、操作者が、再度ピンチ操作を行うために、タッチ表示領域１２１から指を離すと（Ｓ１３でＮＯ）、処理ユニット１１は、当初の第１タッチ操作がなされるか否かを判定している状態（Ｓ１１）に戻る。
【００３２】
図８に示すように、最初の第１タッチ操作が第１領域ＤＥ１内の当該第１領域ＤＥ１と第２領域ＤＥ２との境界線ＢＬに近い位置での操作あって、次の第２タッチ操作が第２領域ＤＥ２内での操作である場合、第１領域ＤＥ１の表示画像に対する操作ではなく、むしろ、第２領域ＤＥ２の表示画像に対する操作を意図したものであると判断したほうが合理的である。従って、この場合は、第１タッチ操作のタッチ点と第２タッチ操作のタッチ点とを移動させても、上述したように、第１領域ＤＥ１の表示画像の拡大及び縮小は行われない。
【００３３】
このような処理によれは、操作者の意図しないであろう第１領域ＤＥ１の表示画像に対するピンチ操作に応じた処理（画像拡大、画像縮小）が無駄に行われることを防止することができる。
【００３４】
なお、第１ピンチ操作判定領域ＰＥ１を決めるはみ出し領域ＥＸＥ１は、第１領域ＤＥ１をめがけてタッチしようとした２番目のタッチ操作が第１領域ＤＥ１から多少はずれても、第１領域ＤＥ１での操作として扱うことが好ましい範囲、及び、第２領域ＤＥ２をめがけてタッチしようとした１番目のタッチ操作が誤って第１領域ＤＥ１に入ってしまったとして扱うことが好ましい範囲、に基づいて決めることができる。例えば、前記はみ出し領域ＥＸＥ１（図５参照）は、第２領域ＤＥ２の広さの半分以下の広さにすることが好ましい。
【００３５】
前述した処理（図３Ａ参照）において、前記第１タッチ操作が第１領域ＤＥ１での操作でない場合（Ｓ１２でＮＯ）、処理ユニット１１は、図３Ｂの手順に従って処理を行う。
【００３６】
図３Ｂにおいて、処理ユニット１１は、前記第１タッチ操作が第２領域ＤＥ２（図２参照）での操作であるか否かを判定する（Ｓ２１：第１タッチ操作判定手段）。前記第１タッチ操作が第２領域ＤＥ２での操作でもない場合（Ｓ２１でＮＯ）、即ち、外部領域ＯＥ（図２参照）での操作であると、処理ユニット１１は、タッチコントローラ２０からの当該第１タッチ操作のタッチ点に対応した位置データに基づいて、そのタッチ位置に対応した処理、例えば、当該位置に表示されたアイコン（操作ボタン）に対応した処理を行う。その後、処理ユニット１１は、図３Ａに示す当初の第１タッチ操作がなされるか否かを判定している状態に戻る（Ｓ１１）。
【００３７】
一方、前記第１タッチ操作が、例えば、図９（破線丸１）に示すように、第２領域ＤＥ２での操作であると（Ｓ２１でＹＥＳ）、処理ユニット１１は、その第１タッチ操作による第２領域ＤＥ２でのタッチ点が維持されていることを確認しつつ（Ｓ２２でＹＥＳ）、次のタッチ操作（第２タッチ操作）がなされるか否かを繰り返し確認する（Ｓ２３）。ここで、第２タッチ操作がなされると（Ｓ２３でＹＥＳ）、処理ユニット１１は、タッチコントローラ２０からのタッチ点に対応した位置データに基づいて、その第２タッチ操作が、第２表示領域ＤＥ２より広い図１０に示すような第２ピンチ操作判定領域ＰＥ２内での操作であるか否かを判定する（Ｓ２４：第２タッチ操作判定手段）。前記第２ピンチ操作判定領域ＰＥ２は、第２領域ＤＥ２（図２参照）を含むとともに、第２領域ＤＥ１から境界線ＢＬを越えて第１領域ＤＥ２（図２参照）に所定の広さはみ出したはみ出し領域ＥＸＥ２を含み、更に、外部領域ＯＥの第２領域ＤＥ１に隣接する部分を含む。
【００３８】
例えば、図１０（破線丸２）に示すように、前記第２タッチ操作が第２ピンチ操作判定領域ＰＥ２での操作であると判定すると（Ｓ２４でＹＥＳ）、処理ユニット１１は、ピンチ操作モードであることを認識する。その後、処理ユニット１１は、図３Ａに示すステップＳ１６以降の手順に戻って、具体的には、処理ユニット１１は、前記第１タッチ操作によるタッチ点と前記第２タッチ操作によるタッチ点とを移動させるピンチ操作に応じて、第２領域ＤＥ２の表示画像に対する拡大（ピンチアウト）または縮小（ピンチイン）の処理を行う（Ｓ１６〜Ｓ２０）。
【００３９】
第２領域ＤＥ２についても、第１領域ＤＥ１の場合と同様に、第２領域ＤＥ２内の画像を拡大または縮小させるために、操作者が第２領域ＤＥを狙って２つの指をタッチしようとしたときに、最初のタッチ点（第１タッチ操作）が第２領域ＤＥ２に含まれていれば（図９参照）、次のタッチ点（第２タッチ操作）が第２領域ＤＥ１から僅かにはみ出したものであっても（第２ピンチ操作判定領域ＰＥ２内（図１０参照））、それら２つのタッチ点の移動がピンチ操作であると認識されて、第２領域ＤＥ２の表示画像を拡大（ピンチアウト）または縮小（ピンチイン）することができる。また、それら２つのタッチ点のピンチ操作として許容される移動範囲は、第２領域ＤＥ２内や第２ピンチ操作判定領域ＰＥ２に制限されず、タッチ表示領域１２１全体（ピンチ操作許容範囲ＰＰＥ）であるので、第２領域ＤＥ１の表示画像をより大きく変化（拡大、縮小）させることができる。従って、タッチパネル表示器１２が車両のインストルメントパネルに設置される等、操作者（乗員）の手元になくても、また、振動の大きい車両内であっても、また、運転中の運転者であっても、タッチ表示領域１２１の一部である第２領域ＤＥ１の表示画像に対する正確なピンチ操作を行うことができる。
【００４０】
また、第１領域ＤＥ１の場合と同様に、最初の第１タッチ操作が第２領域ＤＥ２内の当該第２領域ＤＥ１と第１領域ＤＥ２との境界線ＢＬに近い位置での操作であって、次の第２タッチ操作が第１領域ＤＥ１内での操作である場合、第１タッチ操作のタッチ点と第２タッチ操作のタッチ点とを移動させても、上述したように、第２領域ＤＥ２の表示画像の拡大及び縮小は行われない。このため、操作者の意図しないであろう第２領域ＤＥ２の表示画像に対するピンチ操作に応じた処理（画像拡大、画像縮小）が無駄に行われることを防止することができる。
【００４１】
前述した第２ピンチ操作判定領域ＰＥ２を決めるはみ出し領域ＥＸＥ２（図１０参照）は、第１ピンチ操作判定領域ＰＥ１を決めるはみ出し領域ＥＸＥ１（図５参照）の場合と同様に、第１領域ＤＥ１の広さの半分以下の広さであることが好ましい。
【００４２】
また、前述の例では、ピンチ操作許容領域ＰＰＥは、タッチ表示領域１２１全体であったが、これに限定されない。このピンチ操作許容領域ＰＰＥは、第１ピンチ操作判定領域ＰＥ１及び第２ピンチ操作判定領域ＰＥ２より広ければよく、第１表示領域ＤＥ１及び第２表示領域ＤＥ２を含む領域でもよい。
【産業上の利用可能性】
【００４３】
以上、説明したように、本発明に係る表示装置は、車載機器に適用した場合であっても、正確なピンチ操作を行うことができるという効果を有し、タッチパネル表示器におけるタッチ操作に応じて該タッチパネル表示器での表示画像についての処理を行う表示装置として有用である。
【符号の説明】
【００４４】
１１  処理ユニット
１２  タッチパネル表示器
１２ａ  表示パネル
１２ｂ  タッチパネル
１４  記憶部
１５  出力回路
１７  ＡＶユニット
１８  ナビゲーションンユニット
２０  タッチコントローラ
１００  車載機器
【図１】
2017027422.tif 000003
【図２】
2017027422.tif 000004
【図３Ａ】
2017027422.tif 000005
【図３Ｂ】
2017027422.tif 000006
【図４】
2017027422.tif 000007
【図５】
2017027422.tif 000008
【図６】
2017027422.tif 000009
【図７】
2017027422.tif 000010
【図８】
2017027422.tif 000011
【図９】
2017027422.tif 000012
【図１０】
2017027422.tif 000013